(57)【要約】【課題】  荘厳かつ安全で、準備も簡便な、環境に殆ど影響を与える虞れのない散骨方法およびそれを利用した葬儀方法を提供することを目的とする。【解決手段】  空中にて遺灰７を放散させる散骨方法において、遺灰７をヘリウム等のガスを封入せる飛翔体１内に収容し、該飛翔体１を空中に飛し、高高度にて飛翔体１が膨張・冷却されて破裂することにより、前記遺灰７を空中に放散させるようにしたので、安全かつ静かで厳かに遺灰７を飛翔体１内に収容させて、ヘリウムガス等を利用して空中高く飛翔させることができ、ゴム等にて構成した飛翔体１を高高度にて膨張・冷却させて、自然に脆性破壊させ、遺灰７を空中に広範囲に放散させることができる。【選択図】  図１
2006061245.tif 000002
【特許請求の範囲】
【請求項１】
空中にて遺灰を放散させる散骨方法において、遺灰をヘリウム等のガスを封入せる飛翔体内に収容し、該飛翔体を空中に飛し、高高度にて飛翔体が膨張・冷却されて破裂することにより、前記遺灰を空中に放散させることを特徴とする散骨方法。
【請求項２】
空中にて遺灰を放散させる散骨方法において、遺灰を収容したやや小さめの遺灰袋をヘリウム等のガスを封入せる大なる飛翔体内に収容し、該飛翔体を空中に飛し、高高度にて飛翔体および遺灰袋が膨張・冷却されて破裂することにより、前記遺灰を空中に放散させることを特徴とする散骨方法。
【請求項３】
前記遺灰袋にもヘリウムガス等を封入したことを特徴とする請求項２に記載の散骨方法。
【請求項４】
前記請求項１に記載の散骨方法を利用した葬儀方法であって、地上の台座シート上にて遺灰を飛翔体内に収容する儀式と、飛翔体内にヘリウムガス等を封入する儀式と、飛翔体に種々の装飾付属品を取り付ける儀式と、これらの飛翔体および装飾付属品を台座シートから切り離す儀式とから構成される葬儀方法。
【請求項５】
前記請求項２または３に記載の散骨方法を利用した葬儀方法であって、地上の台座シート上にて遺灰袋に遺灰あるいは遺灰およびヘリウムガス等を封入する儀式と、該遺灰袋を飛翔体内に収容する儀式と、飛翔体内にヘリウムガス等を封入する儀式と、飛翔体に種々の装飾付属品を取り付ける儀式と、これらの飛翔体および装飾付属品とを台座シートから切り離す儀式とから構成される葬儀方法。
【発明の詳細な説明】
【技術分野】
【０００１】
本発明は、空中にて遺灰を放散させる散骨方法およびこれを利用した葬儀方法に関する。
【背景技術】
【０００２】
近年、核家族化が進み、死亡後に遺灰をお墓に埋葬して子孫に負担を掛けたりせずに、遺灰を空中放散や海中放散さらには山岳放散によって自然に還るという指向が生まれている。また、犬や猫等のペットの死亡後についても、住宅事情等からこれらのペットの亡骸を地中に埋葬することが困難となっている。このようなことから、故人の遺灰やペットの遺灰を海中や山岳放散を含む空中にて放散させる空中散骨が行われるようになってきている。このような空中散骨の方法として幾つかの方法が提案されている（例えば下記特許文献１および２参照。）。
【特許文献１】特開２００２−２３８９６１号公報
【特許文献２】特開２００１−２４５９４０号公報
【発明の開示】
【発明が解決しようとする課題】
【０００３】
前記特許文献１に開示されたものは、図示しての詳述はしないが、特殊な専用の器具を用いて安全に遺灰を航空機から投下できるようにしたものである。また、前記特許文献２に開示されたものは、図８に示すように、散骨装置を構成する煙火球３１は、空中で破裂可能なように割薬３２を装填する半球部位３１ａと、故人の遺灰等を装填する半球部位３１ｂとを有する。前記半球部位３１ｂには、蓋部３８と該蓋部３８により開閉可能とされた開口部とが形成されている。半球部位３１ａには、破裂の際に発光を伴って燃焼し飛翔する火薬球である星３４が配列されている。このような構成により、葬儀の現場において、葬儀の一環として、遺灰等を煙火球３１に装填することが可能となり、かつその空中放散（自然葬）を実施できることとなった。
【０００４】
しかしながら、前記従来の空中散骨方法等にあって、前記特許文献１に開示されたものは、航空機を使用して大がかりで経費がかかり、実用的ではない。また、前記図８の特許文献２に開示されたものは、花火として打ち上げることで、葬儀会場の衆人注目の中で行え、セレモニーとして華々しいものではあるものの、やや安全性に問題がないとは言えないものであった。また、周辺の環境を乱す虞れさえあった。
【０００５】
そこで、本発明は、前記従来の空中散骨方法の課題を解決して、荘厳かつ安全で、準備も簡便な、環境に殆ど影響を与える虞れのない散骨方法およびそれを利用した葬儀方法を提供することを目的とする。
【課題を解決するための手段】
【０００６】
そのため本発明は、空中にて遺灰を放散させる散骨方法において、遺灰をヘリウム等のガスを封入せる飛翔体内に収容し、該飛翔体を空中に飛し、高高度にて飛翔体が膨張・冷却されて破裂することにより、前記遺灰を空中に放散させることを特徴とする。また本発明は、空中にて遺灰を放散させる散骨方法において、遺灰を収容したやや小さめの遺灰袋をヘリウム等のガスを封入せる大なる飛翔体内に収容し、該飛翔体を空中に飛し、高高度にて飛翔体および遺灰袋が膨張・冷却されて破裂することにより、前記遺灰を空中に放散させることを特徴とする。また本発明は、前記遺灰袋にもヘリウムガス等を封入したことを特徴とする。また本発明は、前記の散骨方法を利用した葬儀方法であって、地上の台座シート上にて遺灰を飛翔体内に収容する儀式と、飛翔体内にヘリウムガス等を封入する儀式と、飛翔体に種々の装飾付属品を取り付ける儀式と、これらの飛翔体および装飾付属品を台座シートから切り離す儀式とから構成される葬儀方法を構成要件とする。また本発明は、前記散骨方法を利用した葬儀方法であって、地上の台座シート上にて遺灰袋に遺灰あるいは遺灰およびヘリウムガス等を封入する儀式と、該遺灰袋を飛翔体内に収容する儀式と、飛翔体内にヘリウムガス等を封入する儀式と、飛翔体に種々の装飾付属品を取り付ける儀式と、これらの飛翔体および装飾付属品とを台座シートから切り離す儀式とから構成される葬儀方法を構成要件とするもので、これらを課題解決のための手段とするものである。
【発明の効果】
【０００７】
本発明では、空中にて遺灰を放散させる散骨方法において、遺灰をヘリウム等のガスを封入せる飛翔体内に収容し、該飛翔体を空中に飛し、高高度にて飛翔体が膨張・冷却されて破裂することにより、前記遺灰を空中に放散させるようにしたので、安全かつ静かで厳かに遺灰を飛翔体内に収容させて、ヘリウムガス等を利用して空中高く飛翔させることができ、ゴム等にて構成した飛翔体を高高度にて膨張・冷却させて、自然に脆性破壊させ、遺灰を空中に広範囲に放散させることができる。
【０００８】
また、空中にて遺灰を放散させる散骨方法において、遺灰を収容したやや小さめの遺灰袋をヘリウム等のガスを封入せる大なる飛翔体内に収容し、該飛翔体を空中に飛し、高高度にて飛翔体および遺灰袋が膨張・冷却されて破裂することにより、前記遺灰を空中に放散させるようにしたので、前記効果に加えて、遺灰袋が飛翔体内に収容されて、気球の二重構造により遺灰袋が飛翔体内にて有効に保護されることになる。
【０００９】
さらに、前記遺灰袋にもヘリウムガス等を封入した場合は、遺灰袋が飛翔体内にて浮遊し、飛翔体を半透明にする等して外観にも優れてセレモニー効果を高めることができる他、気球の二重構造により遺灰袋が飛翔体内にて有効に保護されることになる。
【００１０】
さらにまた、前記の散骨方法を利用した葬儀方法であって、地上の台座シート上にて遺灰を飛翔体内に収容する儀式と、飛翔体内にヘリウムガス等を封入する儀式と、飛翔体に種々の装飾付属品を取り付ける儀式と、これらの飛翔体および装飾付属品を台座シートから切り離す儀式とから構成される場合は、安全かつ静かに遺灰を飛翔体内に収容させるこれらの一連の儀式を、葬儀の一環として厳かに行うことが可能になる他、飛翔体に取り付けた装飾付属品の装飾効果により、より華やかに飛翔体を飛び立たせることができる。
【００１１】
また、前記散骨方法を利用した葬儀方法であって、地上の台座シート上にて遺灰袋に遺灰あるいは遺灰およびヘリウムガス等を封入する儀式と、該遺灰袋を飛翔体内に収容する儀式と、飛翔体内にヘリウムガス等を封入する儀式と、飛翔体に種々の装飾付属品を取り付ける儀式と、これらの飛翔体および装飾付属品とを台座シートから切り離す儀式とから構成される場合は、前記効果に加えて、遺灰袋が飛翔体内にて浮遊し、飛翔体を半透明にする等して外観にも優れてセレモニー効果を高めることができる他、気球の二重構造により遺灰袋が飛翔体内にて有効に保護されることになる。
【発明を実施するための最良の形態】
【００１２】
以下、本発明の実施例を図面に基づいて詳細に説明する。図１から図５は本発明の散骨方法およびそれを利用した葬儀方法の第１実施例で、図１は飛翔体の断面図、図２から図４は飛翔体への遺灰の収容手順（葬儀儀式）を示す断面図、図５は飛翔体の飛翔状態および高高度での脆性破壊の状態を示す断面図、図６は本発明の散骨方法およびそれを利用した葬儀方法の第２実施例で飛翔体の断面図、図７は葬儀方法としての飛翔体が装飾状態にある全体斜視図である。本発明の基本的構成は、図１に示すように、空中にて遺灰を放散させる散骨方法において、遺灰７をヘリウム等のガスを封入せる飛翔体１内に収容し、該飛翔体１を空中に飛し、高高度にて飛翔体１が膨張・冷却されて破裂することにより、前記遺灰７を空中に放散させるようにしたことを特徴とする。
【実施例１】
【００１３】
以下、図面に基づいて本発明の散骨方法およびこれを利用した葬儀方法の実施例を説明する。図１は本発明の散骨方法の第１実施例を示すもので、遺灰７を収容したやや小さめの散骨バルーンを構成するところの遺灰袋４をヘリウム等のガスを封入せる大なるビッグバルーンを構成するところの飛翔体１内に収容し、該飛翔体１を空中に飛ばすものである。本実施例では、前記遺灰袋４にもヘリウムガス等を封入して構成される。ガスはヘリウムに限定されるものではなく、空気より軽く飛翔体１全体を空中高く飛ばせる能力があれば、適宜の安全なガスが採用され得る。また、散骨バルーンおよびビッグバルーンを構成する遺灰袋４および飛翔体１は、好適には天然ゴムにより構成され、空中の高高度にて膨張・冷却して脆性破壊（破裂）して、遺灰を空中に放散した後には、環境を汚染することなく地中への自然回帰が可能にされる。天然ゴムに代えて、合成ゴムでも環境を汚染する虞れのない素材であれば採用され得る。
【００１４】
次に、儀式を兼ねた本実施例の飛翔体１への遺灰の収容方法について詳述する。図２（Ａ）に示すように、適宜の別途準備した骨粉砕機によって火葬後の遺骨を粉砕した遺灰７を遺灰容器９（あるいはスプーン）から漏斗８を介して遺灰袋４に収容する。この遺灰７の収容は、儀式として遺族により行われるとよい。遺骨を粉砕した遺灰７の粒径は環境汚染の虞れのない数ｍｍ以下とされる。遺灰袋４のガス封入前の直径は約３ｃｍ程度で、ビッグバルーンである飛翔体１の直径約５ｃｍ程度の袋口２の中に挿入される。次いで、図２（Ｂ）に示すように、遺灰袋４の袋口５から漏斗８を取り外し、代わりにヘリウムガス等の注入ガン１０の注入ノズル１１が挿入される。注入ガン１０の基部からはガスホースが延びて図示外のヘリウムガスボンベ等に接続される。注入ガン１０の引き金１３を操作してヘリウムガス等を遺灰袋４内に注入して充填する。
【００１５】
図３（Ａ）に示すように、遺灰７が収容された遺灰袋４が約９０ｃｍ程度に膨張したら、その袋口５を適宜のひも６にて捕縛する。遺灰袋４の袋口５自身を引き延ばして結んでもよい。次いで、図３（Ｂ）に示すように、遺灰袋４を浮力に抗して飛翔体１内に押し込む。その後、図４（Ａ）に示すように、大径の飛翔体１の袋口２に注入ホース１４を直接接続してヘリウムガス等を注入して充填する（勿論、注入ガン１０を用いて充填してもよい）。飛翔体１の直径が約２ｍ程度に膨張したら、図４（Ｂ）に示すように、飛翔体１の袋口２を適宜のひも３にて捕縛する。袋口２自身を引き延ばして結んでもよいが、空中に飛翔体１を飛ばす際に、袋口２側が下を向くように姿勢制御機能が発揮されるように、および後述する装飾付属品等を取り付けるためにひも３による捕縛が好ましい。
【００１６】
このようにして構成された遺灰袋４を収容した飛翔体１は、図５（Ａ）に示すように、袋口２を下にして空中に飛ばされる。遺灰袋４は飛翔体１内にて浮遊し、気球の二重構造により遺灰袋が飛翔体内にて有効に保護される。また、飛翔体１は、原則は不透明体で構成されるが、半透明あるいは透明に構成すれば、外観にも優れてセレモニー効果を高めることもできる。図５（Ｂ）に示すように、飛翔体１が高度約８０００ｍに達すると、気温は−４０°Ｃ、気圧は地上の約１／３程度になる。そのため、飛翔体１の体積は７倍程度に膨張して低温による脆性破壊を引き起こし、図５（Ｃ）に示すように破裂して、遺灰７を空中に放散する。飛翔体１の飛翔場所によって、遺灰７は空中散骨、海中散骨あるいは山岳散骨により自然に回帰する。
【実施例２】
【００１７】
図６は本発明の散骨方法およびそれを利用した葬儀方法の第２実施例で飛翔体の断面図である。本実施例のものは、遺灰袋１５をビッグバルーンである飛翔体１の内側に係止ないし固定して構成したものである。飛翔体１の袋口２の近傍に遺灰袋１５を係止ないし固定することによって、飛翔体１の袋口２を通じて遺灰袋１５の注入口１６へ遺灰７を容易に収納することができる。注入口１６は適宜の方法で閉じられる。その後は、図４以降の手順にしたがってヘリウムガス等が注入・充填され、空中に飛ばされる。本実施例では、遺灰袋４が飛翔体１内にて浮遊することはないが、遺灰７の収容が容易かつ簡便で、気球の二重構造により遺灰袋はある程度飛翔体内にて保護される。
【００１８】
なお、図示しての詳述はしないが、遺灰袋４を準備することなく、直接に遺灰４をビッグバルーンである飛翔体１内に収容し、該飛翔体１内にヘリウムガス等を注入・充填した後に、空中に飛ばすように構成することも本発明の範疇である。この場合は、遺灰の保護機能はやや劣るものの、飛翔体の構造が簡素化されるとともに、遺灰の収容、ヘリウムガス等の注入等の儀式も簡素化される。
【００１９】
図７は前述した散骨方法を葬儀に適用した例を示すもので、例えば方形に形成された地上の台座シート２０上において飛翔体１が設置される。飛翔体１への遺灰７の収容および遺灰袋４および飛翔体１へのヘリウムガス等の注入・充填は上述した各実施例の行程にしたがって儀式として行われる。その後、飛翔体１に種々の装飾付属品を取り付ける儀式が行われる。装飾付属品としては、数個の風船をワンセットとしたバルーンブーケ１７を４組準備する。これらのバルーンブーケ１７を飛翔体１の袋口２を捕縛したひも３から等分の長さに分岐させた４本のひも１８の先端に結び付ける。各ひも１８の途中を前記台座シート２０の４隅にて重し１９に仮結合する。重し１９は鉄アレイ等より構成され装飾ラッピングが施される。装飾付属品としては、バルーンブーケ１７の他、環境を汚染する虞れのない切り花等の適宜のものが採用され得る。飛翔体１へのガスの注入は、台座シート２０上にて最後に行ってもよい。
【００２０】
このようにしてセットされた装飾付属品１７および飛翔体１が台座シート２０から切り離される。台座シート２０上の４隅に置かれた各重し１９が遺族等によって取り除かれると、飛翔体１は装飾付属品１７を伴って空中に舞い上がる。その後は、図５に示したように、高高度に達して飛翔体１あるいは飛翔体１および遺灰袋４が装飾付属品１７とともに冷却、膨張して破裂し、遺灰７が空中に放散される。
【００２１】
以上、本発明の実施例について説明してきたが、本発明の趣旨の範囲内にて、遺灰とするための遺骨の粉砕方法（適宜の粉砕機により粉砕される）およびその粒径（環境に影響のない数ｍｍ以下が好ましい）、遺灰袋の形状（円形の他、雫形状等適宜の形状が採用され得る）、サイズ（３ｃｍ、膨張時９０ｃｍ程度が好ましいが、これに限定されない）、飛翔体の形状（円形の他、雫形状等適宜の形状が採用され得る）、サイズ（膨張時２ｍ程度が好ましいが、これに限定されない。ペット用等は小径である）および材質（天然ゴムが好適であるが、環境に影響を与えないものであれば、合成ゴム等の他、紙、微生物分解プラスチック等も採用され得る。遺灰袋の材質も同様である）、遺灰袋と飛翔体との関連構成（遺灰袋を飛翔体内にて浮遊させる収納形態の他、飛翔体内に遺灰袋を係止ないし固定してもよい）、ヘリウム等のガスの種類（空気より軽く、環境を汚染しない適宜のガスが採用される）および飛翔体および遺灰袋への注入形態（ガスボンベに接続した注入ガン等による注入形態の他、ペット等の遺灰の散骨のような比較的小さな飛翔体の場合には、カセットガスボンベ等により直接注入される）については適宜選定することができる。
【００２２】
また、台座シートの形状（方形の他、円形等適宜の形状が採用され得る）、形式、台座シート上における飛翔体および装飾付属品へのガス注入順序、設置順序、装飾付属品の形状、形式、種類（風船等のバルーンブーケ形態の他、環境を汚染する虞れのない切り花等の適宜のものが採用され得る）およびその飛翔体への取付け形態（飛翔体の袋口の捕縛ひもを利用する他、飛翔体の表面にバルーンブーケ等を直接貼り付けてもよい）、飛翔体および装飾付属品の台座シートからの切離し形態（重しと飛翔体および装飾付属品との間のひものテープカット形態としてもよい）、重しの形状、形式（装飾ラッピングを施した鉄アレイを用いる他、適宜のものが採用され得る）および材質等についても適宜選定することができる。
【図面の簡単な説明】
【００２３】
【図１】本発明の散骨方法およびそれを利用した葬儀方法の第１実施例を示すもので、飛翔体の断面図である。
【図２】同、飛翔体への遺灰の収容手順（葬儀儀式）を示す断面図で、遺灰袋への遺灰の収容およびガス注入の手順を示す断面図である。
【図３】同、遺灰袋へのガス注入完了時を示す断面図である。
【図４】同、飛翔体へのガス注入を示す断面図である。
【図５】同、飛翔体の飛翔状態および高高度での脆性破壊の状態を示す断面図である。
【図６】本発明の第２実施例を示す飛翔体の断面図である。
【図７】葬儀方法としての飛翔体が装飾状態にある全体斜視図である。
【図８】従来の散骨装置を用いた葬儀方法の説明図である。
【符号の説明】
【００２４】
１        飛翔体（ビッグバルーン等）
２        袋口
３        ひも
４        遺灰袋（散骨バルーン）
５        袋口
６        ひも
７        遺灰
８        漏斗
９        遺灰容器
１０        注入ガン
１１        注入ノズル
１２        ガスホース
１３        引き金
１４        注入ホース
１５        遺灰袋
１６        注入口
１７        装飾付属品（バルーンブーケ等）
１８        ひも
１９        重し
２０        台座シート
【図１】
2006061245.tif 000003
【図２】
2006061245.tif 000004
【図３】
2006061245.tif 000005
【図４】
2006061245.tif 000006
【図５】
2006061245.tif 000007
【図６】
2006061245.tif 000008
【図７】
2006061245.tif 000009
【図８】
2006061245.tif 000010